(57)【要約】【課題】利用物が置物やパズルなどとしても楽しむことができる中空構造体、この中空構造体を用いた照明用シェード、および中空構造体組み立てキットを提供すること。【解決手段】中空構造体１は、外観が略紡錘形状の中空体であり、置物、パズル、照明用シェードとして用いられる。中空構造体１は、各角に係合爪部が形成された略平行四辺形のプラスチック製のシート１０−１〜１０−１８を係合爪部同士を連結させて構成されており、シート１０−１〜１０−１８はいずれも同一形状である。【選択図】    図１
2007305462.tif 000002
【特許請求の範囲】
【請求項１】
複数の係合爪部を備えたシートを複数枚、前記係合爪部同士を連結させてなる複数の連結部により中空体を構成するように結合させたことを特徴とする中空構造体。
【請求項２】
前記複数枚のシートは全て同一形状であることを特徴とする請求項１に記載の中空構造体。
【請求項３】
前記連結部では、シート１枚当たりの前記係合爪部の数と異なる枚数の前記シートを結合させてなることを特徴とする請求項２に記載の中空構造体。
【請求項４】
前記シートは、４つの角部の各々に前記係合爪部を備えた略平行四辺形形状を備え、
前記連結部として、前記シートが３枚結合されている複数の第１の連結部と、前記シートが５枚結合されている複数の第２の連結部とが構成されていることを特徴とする請求項３に記載の中空構造体。
【請求項５】
前記複数枚のシートには、前記複数の係合爪部が各々、前記複数の連結部のうちのいずれの連結部を構成するかを示す指標が付されていることを特徴とする請求項１乃至４の何れか一項に記載の中空構造体。
【請求項６】
請求項１乃至５の何れか一項に記載の中空構造体からなることを特徴とする照明用シェード。
【請求項７】
請求項１乃至５の何れか一項に規定する中空構造体を製造するための前記シートを複数、備えてなることを特徴とする中空構造体組み立てキット。
【発明の詳細な説明】
【技術分野】
【０００１】
本発明は、置物やパズルなどとして用いられる中空構造体、この中空構造体を用いた照明用シェード、および中空構造体組み立てキットに関するものである。
【背景技術】
【０００２】
照明用シェードとしては、ガラス製のもの、硬質プラスチック製のもの、枠体に紙やプラスチックのシートを貼ったものが広く使用されているが、シートの変形可能な性質を利用した新たなタイプのものも提案されている。例えば、１枚のシートを複数箇所でアコーディオン状に折り畳んで筒状にした照明用のアウターシェードが提案されている（例えば、特許文献１参照）。
【特許文献１】特開平５−１２０９０８号公報
【発明の開示】
【発明が解決しようとする課題】
【０００３】
しかしながら、上記特許文献１に記載のシェードは、１枚のシートを折り畳んだ形状であるため、漏れてくる光の変化を楽しめる度合いや置物としての味わいが乏しく、かつ、利用者が自分で組み立てるという楽しみを味わえるものではない。
【０００４】
以上の問題点に鑑みて、本発明の課題は、利用物が置物やパズルなどとしても楽しむことができる中空構造体、この中空構造体を用いた照明用シェード、および中空構造体組み立てキットを提供することにある。
【課題を解決するための手段】
【０００５】
上記課題を解決するために、本発明の中空構造体は、複数の係合爪部を備えたシートを複数枚、前記係合爪部同士を連結させてなる複数の連結部により中空体を構成するように結合させたことを特徴とする。また、本発明に係る中空構造体を製造するための前記シートを複数、備えた中空構造体組み立てキットとしたことを特徴とする。
【０００６】
本発明では、複数枚のシートに複数の係合爪部を設け、係合爪部同士を結合させ中空構造体を構成する。このため、複数枚のシートが織り成す外観を楽しむことのできる置物として用いることができる。また、シート同士はそれ自身に形成した係合爪部で結合させるため、接着やネジ止めが不要であり、かつ、分解および組み立てが可能であるため、立体的なパズルとして楽しむこともできる。また、シート間には隙間が発生し、かつ、シート同士を部分的に重ねておくと複数の隙間が各々、異なる方向に向くため、照明用シェードとして用いた場合には斬新さを楽しむことができる。
【０００７】
本発明において、前記複数枚のシートは全て同一形状であることが好ましい。このように構成すると、製造コストを低減できるとともに、同一形状のシートから立体的な構造体を形成できるパズルとして楽しむことができる。すなわち、球形や紡錘形の中空構造体を構成する際、シートを全て同一形状にすると、シート同士の重なり部分や隙間が必ず発生するため、このような重なり部分や隙間により、これまでにない美観をもった中空構造体を構成することができる。
【０００８】
本発明において、前記連結部では、シート１枚当たりの前記係合爪部の数と異なる枚数の前記シートを結合させてなることを特徴とする。このように構成すると、シート同士が複雑に結合するため、複雑な形状の中空構造体を形成することできる。
【０００９】
本発明において、前記シートは、４つの角部の各々に前記係合爪部を備えた略平行四辺形形状(長方形や正方形も含む)を備え、前記連結部として、前記シートが３枚結合されている複数の第１の連結部と、前記シートが５枚結合されている複数の第２の連結部とが構成されていることが好ましい。このように構成すると、例えば、同一形状の前記シート、１８枚により外観が略紡錘形状の中空構造体を形成できる。また、前記シートの枚数を減らせば、略球形状の中空構造体を形成できる。また、シート同士が部分的に重なって各々が異なる方向に向く複数の隙間ができるので、照明用シェードとして用いた場合には斬新さを楽しむことができる。
【００１０】
本発明において、前記複数枚のシートには、前記複数の係合爪部が各々、前記複数の連結部のうちのいずれの連結部を構成するかを示す指標が付されていることが好ましい。このように構成すると、製造者あるいは利用者が容易に組み立てることができる。また、指標を目立たなくしておけば、パズルとして分解、組立を行う際に便利である。
【００１１】
本発明に係る中空構造体は、置物やパズルなどとして用いることができる。また、本発明に係る中空構造体は照明用シェードとしても用いることができる。
【発明の効果】
【００１２】
本発明では、複数枚のシートに複数の係合爪部を設け、係合爪部同士を結合させ中空構造体を構成するため、複数枚のシートが織り成す外観を楽しむことのできる置物として用いることができる。また、シート同士はそれ自身に形成した係合爪部で結合させるため、接着やネジ止めが不要であり、かつ、分解および組み立てが可能であるため、立体的なパズルとして楽しむこともできる。また、シート間には隙間が発生し、かつ、シート同士を部分的に重ねておくと複数の隙間が各々、異なる方向に向くため、照明用シェードとして用いた場合には斬新さを楽しむことができる。
【発明を実施するための最良の形態】
【００１３】
図面を参照して、本発明の実施の形態を説明する。
【００１４】
(中空構造体の構成)
図１(ａ)、(ｂ)は、本発明を適用した中空構造体の正面図、およびシート同士の重なり部分に形成された隙間の説明図である。図２は、図１に示す中空構造体を背面側で縦方向に切断して展開した様子を模式的に示す説明図である。なお、図２は、シートおよび連結部の位置のみを表わしており、シートの形状について変形させてある。
【００１５】
図１(ａ)および図２において、本発明を適用した中空構造体１は、外観が略紡錘形状の中空体であり、計１８枚の白色のプラスチック製のシート１０−１〜１０−１８を互いに結合させることにより構成されている。このため、中空構造体１では、シート同士の重なり部によって複数の凹凸が形成されているとともに、図１(ｂ)に示すように、シート同士の重なり部には隙間１５が形成されている。また、隙間１５は、各々が異なる方向に向いている。このため、中空構造体１の内側に光源を配置して、中空構造体１を照明用シェードとして用いると、図１(ａ)、(ｂ)に矢印で示すように、光が様々な方向に出射されるので、これまでのシェードでは味わうことのできない斬新さを楽しむことができる。
【００１６】
また、本形態の中空構造体１では、複数枚のシート１０−１〜１０−１８が織り成す外観を楽しむことのできる置物として用いることができる。
【００１７】
さらに、本形態の中空構造体１は、後述するように、シート１０−１〜１０−１８自身に形成した係合爪部でシート同士を結合させるため、接着やネジ止めが不要であり、かつ、分解および組み立てが可能であるので、立体的なパズルとして楽しむこともできる。
【００１８】
(シートおよび中空構造体組み立てキットの説明)
図３は、本発明を適用した中空構造体に用いたシートの説明図である。図４(ａ)、(ｂ)は、図３に示すシートを３枚、結合させた連結部の説明図、および図３に示すシートを５枚、結合させた連結部の説明図である。
【００１９】
このような構成の中空構造体１は、図３に示す計１８枚のシート１０−１〜１０−１８により構成され、このようなシート１０−１〜１０−１８は、中空構造体組み立てキットとして販売されることもある。ここで、１８枚のシート１０−１〜１０−１８は、いずれも同一形状であり、４辺のうち、平行に相対向する２辺が直線で、他の２辺は外側に膨らんだ略平行四辺形の平面形状を有している。また、いずれのシート１０−１〜１０−１８にも４つの角の各々には切り欠き１１０、１２０、１３０、１４０によって外向きの係合爪部１１、１２、１３、１４が形成されている。ここで、４つの係合爪部１１、１２、１３、１４のうち、対角に位置する２つの係合爪部１２、１３は、切り欠き１２０、１３０が辺に対して直線的に延長された形状を有する一方、対角に位置する他の２つの係合爪部１１、１４は、切り欠き１１０、１４０が辺に対して斜めに延びている。
【００２０】
このように構成した１８枚のシート１０−１〜１０−１８は、係合爪部同士を結合させてなる計２０箇所の連結部Ａ〜Ｔで結合されて略紡錘形状の中空構造体１を構成する。ここで、連結部Ａ〜Ｔは、図２に示すように、概ね、連結部Ａ、Ｂ、Ｃ、Ｄ、Ｔが経線方向で並び、連結部Ａ、Ｅ、Ｆ、Ｇ、Ｔが経線方向で並び、連結部Ａ、Ｈ、Ｉ、Ｊ、Ｔが経線方向で並び、連結部Ａ、Ｋ、Ｌ、Ｍ、Ｔが経線方向で並び、連結部Ａ、Ｎ、Ｏ、Ｐ、Ｔが経線方向で並び、連結部Ａ、Ｑ、Ｒ、Ｓ、Ｔが経線方向で並んだ状態にある。また、各連結部の経線方向における位置は、隣接する連結部の列間でずれている。さらに、いずれの連結部Ａ〜Ｔでも、シート１枚当たりの係合爪部の数と異なる枚数のシートを結合させてなる。すなわち、２０箇所の連結部Ａ〜Ｔのうち、第１の連結部Ａ、Ｂ、Ｃ、Ｆ、Ｇ、Ｈ、Ｉ、Ｌ、Ｍ、Ｎ、Ｏ、Ｒ、Ｓ、Ｔでは、図４(ａ)に示すように、３枚のシートが連結され、第２の連結部Ｄ、Ｅ、Ｊ、Ｋ、Ｐ、Ｑでは、図４(ｂ)に示すように、５枚のシートが連結されている。また、経線方向で並ぶ５つの連結部には、第２の連結部が１つ含まれた状態にあり、第２の連結部の経線方向における位置は、隣接する連結部の列間でずれている。なお、第１の連結部Ａ、Ｂ、Ｃ、Ｆ、Ｇ、Ｈ、Ｉ、Ｌ、Ｍ、Ｎ、Ｏ、Ｒ、Ｓ、Ｔ、および第２の連結部Ｄ、Ｅ、Ｊ、Ｋ、Ｐ、Ｑのいずれにおいても、係合爪部１１、１２、１３、１４は係合中心において同一方向に向いて係合している。
【００２１】
このような係合を行うにあたって、１８枚のシート１０−１〜１０−１８に形成されている各係合爪部１１、１２、１３、１４が、２０箇所の連結部Ａ〜Ｔのうちのいずれの連結部を構成するかは、以下に示すように、
シート１０−１（１１，１２，１３，１４）＝（Ａ，Ｎ，Ｋ，Ｈ）
シート１０−２（１１，１２，１３，１４）＝（Ｑ，Ｎ，Ａ，Ｂ）
シート１０−３（１１，１２，１３，１４）＝（Ｅ，Ｃ，Ｑ，Ｂ）
シート１０−４（１１，１２，１３，１４）＝（Ｑ，Ｏ，Ｋ，Ｎ）
シート１０−５（１１，１２，１３，１４）＝（Ｐ，Ｏ，Ｑ，Ｒ）
シート１０−６（１１，１２，１３，１４）＝（Ｄ，Ｒ，Ｑ，Ｃ）
シート１０−７（１１，１２，１３，１４）＝（Ｅ，Ｂ，Ａ，Ｈ）
シート１０−８（１１，１２，１３，１４）＝（Ｄ，Ｓ，Ｐ，Ｒ）
シート１０−９（１１，１２，１３，１４）＝（Ｄ，Ｃ，Ｅ，Ｆ）
シート１０−１０（１１，１２，１３，１４）＝（Ｊ，Ｇ，Ｄ，Ｆ）
シート１０−１１（１１，１２，１３，１４）＝（Ｔ，Ｍ，Ｐ，Ｓ）
シート１０−１２（１１，１２，１３，１４）＝（Ｔ，Ｓ，Ｄ，Ｇ）
シート１０−１３（１１，１２，１３，１４）＝（Ｔ，Ｇ，Ｊ，Ｍ）
シート１０−１４（１１，１２，１３，１４）＝（Ｊ，Ｌ，Ｐ，Ｍ）
シート１０−１５（１１，１２，１３，１４）＝（Ｅ，Ｉ，Ｊ，Ｆ）
シート１０−１６（１１，１２，１３，１４）＝（Ｋ，Ｉ，Ｅ，Ｈ）
シート１０−１７（１１，１２，１３，１４）＝（Ｐ，Ｌ，Ｋ，Ｏ）
シート１０−１８（１１，１２，１３，１４）＝（Ｋ，Ｌ，Ｊ，Ｉ）
設定されている。
【００２２】
例えば、シート１０−１に形成されている係合爪部１１、１２、１３、１４は各々、連結部Ａ、Ｎ、Ｋ、Ｈを構成する。また、シート１０−２に形成されている係合爪部１１、１２、１３、１４は各々、連結部Ｑ、Ｎ、Ａ、Ｂを構成する。従って、シート１０−１〜１０−１８には、各係合爪部１１、１２、１３、１４が２０箇所の連結部Ａ〜Ｔのうちのいずれの連結部を構成するかを示す指標を刻印や印刷などの方法で付しておくことが好ましく、このように構成すると、製造者あるいは利用者が容易に組み立てることができる。また、指標を刻印などにより形成して目立たなくしておけば、パズルとして分解、組立を行う際に便利である。
【００２３】
なお、１８枚のシート１０−１〜１０−１８はいずれも同一形状であるため、中空構造体１を組み立てる際、いずれのシート同士から結合させていくかについては制限がなく、例えば、シート１０−２とシート１０−３とのように、係合爪部１１、１２、１３、１４が割り振られた連結部が２つ共通するシート同士を連結させ、次に、シート１０−４のように、上記の２枚のシート１０−２、３のうち、一方のシートと係合爪部１１、１２、１３、１４が割り振られた連結部が２つ共通するシート、例えばシート１０−４を結合させていけばよい。
【００２４】
(本形態の主な効果)
以上説明したように、本形態では、複数枚のシート１０−１〜１０−１８に複数の係合爪部１１、１２、１３、１４を設け、係合爪部同士を結合させ中空構造体１を構成する。このため、複数枚のシート１０−１〜１０−１８が織り成す外観を楽しむことのできる置物として用いることができる。また、シート１０−１〜１０−１８同士はそれ自身に形成した係合爪部１１、１２、１３、１４で結合させるため、接着やネジ止めが不要であり、かつ、分解および組み立てが可能であるため、立体的なパズルとして楽しむこともできる。また、シート１０−１〜１０−１８間には隙間が発生し、かつ、シート１０−１〜１０−１８同士の部分的な重なり部分には隙間１５が形成されるので、照明用シェードとして用いた場合には斬新さを楽しむことができる。
【００２５】
また、複数枚のシート１０−１〜１０−１８は全て同一形状であるため、製造コストを低減できるとともに、同一形状のシート１０−１〜１０−１８から立体的な構造体を形成できるパズルとして楽しむことができる。
【００２６】
本発明において、連結部Ａ〜Ｔでは、シート１枚当たりの係合爪部１１、１２、１３、１４の数と異なる枚数のシートを結合させてあるので、シート同士が複雑に結合するため、複雑な形状の中空構造体１を形成することできる。例えば、図１に示すように、同一形状のシート１０−１〜１０−１８から外観が略紡錘形状の中空構造体１を形成でき、照明用シェードとして用いた場合には斬新さを楽しむことができる。
【００２７】
(その他の実施の形態)
上記形態において、シートとしては、黒色のプラスチックシートなどといった遮光性のもの、透明なプラスチックシートなどといった透光性のもの、白色のプラスチックシートなどといった半透光性のものを用いることができ、白色のプラスチックシートなどといった半透光性のものを用いた場合には、照明用シェードとして用いた際、シートを介して淡い光が漏れてくるのを楽しむことができる。
【００２８】
また、シートとしては、表面に模様が付されたものを用いてもよく、また、中空構造体を組み立てた際に、各シートに形成した模様や図柄が一体の模様や図柄を構成するようにしてもよい。また、シートについては、ある程度の可撓性と形状復帰力を備えておれば、塩化ビニルシートなどといったプラスチックシートに限らず、プラスチックと紙とを積層したものを用いてもよい。
【００２９】
さらに、上記形態では、計１８枚の略平行四辺形のシートを用いて外観が略紡錘形状の中空構造体を構成したが、シートの枚数を減らせば、略球形の中空構造体を構成できる。また、４つの係合爪部を備えた略矩形のシートを１つの連結部で４枚ずつ連結して、外観が略球形の中空構造体を構成してもよい。
【００３０】
さらにまた、上記形態では、複数枚のシートが全て同一形状のものを用いたが、例えば、２つの形状のシートを各々、数枚ずつ用いて中空構造体を構成してもよい。
【図面の簡単な説明】
【００３１】
【図１】(ａ)、(ｂ)は、本発明を適用した中空構造体の正面図、およびシート同士の重なり部分に形成された隙間の説明図である。
【図２】本発明を適用した中空構造体を展開した状態を模式的に示す説明図である。
【図３】本発明を適用した中空構造体に用いたシートの説明図である。
【図４】(ａ)、(ｂ)は、図３に示すシートを３枚、結合させた連結部の説明図、および、図３に示すシートを５枚、結合させた連結部の説明図である。
【符号の説明】
【００３２】
１・・中空構造体
１０−１〜１０−１８・・シート
１１〜１４・・係合爪部
１５・・隙間
Ａ〜Ｔ・・連結部
【図１】
2007305462.tif 000003
【図２】
2007305462.tif 000004
【図３】
2007305462.tif 000005
【図４】
2007305462.tif 000006